(57)【要約】【解決手段】織物糸又はファイバーは、それに埋め込まれた多数の、例えば、電子エレメント（１２、２２）を有し、布片、例えば、布衣服は、織物糸又はファイバー（１０、２０ａ）に埋め込まれ又は包み込まれた多数のエレメント（１２、２２）を有し、これらの多数のエレメントは、相互に接続されるか相互に通信されて信号処理システムを形成している。このシステムは、例えば、パーソナルコンピュータ、パーソナル電気通信送受信システム又はパーソナルテレビジョン及び／又はラジオシステムから成っている。【選択図】図１
2004526068.tif 000002
【特許請求の範囲】
【請求項１】
多数のエレメントを埋め込み又は包み込んだ織物糸又はファイバ或いは織物糸又はファイバに多数のエレメントを埋め込み又は包み込んだ布片又は布物品であって、前記多数のエレメントは、相互に接続され又は相互に通信して信号処理システムを形成している織物糸又はファイバ或いは布片又は布物品。
【請求項２】
請求項１に記載の織物糸、ファイバ、布片又は布物品であって、前記多数のエレメントの少なくとも幾つかが無線又は光学的伝送によって相互に通信している織物糸、ファイバ、布片又は布物品。
【請求項３】
請求項１又は２に記載の織物糸、ファイバ、布片又は布物品であって、前記エレメントは形状が長く、それぞれの糸又はファイバの長手方向に整列している織物糸、ファイバ、布片又は布物品。
【請求項４】
請求項１乃至３のいずれかに記載の織物糸、ファイバ、布片又は布物品であって、前記エレメントは、少なくとも１つのマイクロプロセッサエレメントと少なくとも１つのデータメモリエレメントとから成っている織物糸、ファイバ、布片又は布物品。
【請求項５】
請求項１乃至４のいずれかに記載の織物糸、ファイバ、布片又は布物品であって、前記エレメントは、付加装置に対するインターフェースを含んでいる織物糸、ファイバ、布片又は布物品。
【請求項６】
請求項１乃至５のいずれかに記載の織物糸、ファイバ、布片又は布物品であって、前記糸又はファイバに埋め込まれ又は包み込まれた空中線又はアンテナを含む織物糸、ファイバ、布片又は布物品。
【請求項７】
請求項１乃至６のいずれかに記載の織物糸、ファイバ、布片又は布物品であって、前記糸又はファイバに埋め込まれ又は包み込まれた再充電可能な電流源を更に含んでいる織物糸、ファイバ、布片又は布物品。
【請求項８】
請求項１乃至７のいずれかに記載の織物糸、ファイバ、布片又は布物品であって、前記エレメントの少なくとも幾つかは電子集積回路から成っている織物糸、ファイバ、布片又は布物品。
【請求項９】
請求項１乃至８のいずれかに記載の織物糸、ファイバ、布片又は布物品であって、前記エレメントの少なくとも幾つかは光学的、モレキュラー、サブモレキュラー又はＤＮＡ撚りエレメントから成っている織物糸、ファイバ、布片又は布物品。
【請求項１０】
請求項１乃至９のいずれかに記載の織物糸、ファイバ、布片又は布物品であって、前記信号処理システムは、パーソナルコンピュータシステムから成っている織物糸、ファイバ、布片又は布物品。
【請求項１１】
請求項１乃至１０のいずれかに記載の織物糸、ファイバ、布片又は布物品であって、前記信号処理システムは、パーソナル電気通信送受信システムから成っている織物糸、ファイバ、布片又は布物品。
【請求項１２】
請求項１乃至１１のいずれかに記載の織物糸、ファイバ、布片又は布物品であって、前記信号処理システムは、パーソナルテレビ及び／又はラジオシステムから成っている織物糸、ファイバ、布片又は布物品。
【請求項１３】
請求項１乃至１２のいずれかに記載の織物糸、ファイバ、布片又は布物品であって、前記信号処理システムは、制御システムから成っている織物糸、ファイバ、布片又は布物品。
【請求項１４】
請求項１乃至１３のいずれかに記載の織物糸、ファイバ、布片又は布物品であって、前記信号処理システムは、監視システムから成っている織物糸、ファイバ、布片又は布物品。
【請求項１５】
請求項１乃至１４のいずれかに記載の織物糸、ファイバ、布片又は布物品であって、前記信号処理システムは、警報又は保安システムから成っている織物糸、ファイバ、布片又は布物品。
【請求項１６】
請求項１乃至１５のいずれかに記載の織物糸、ファイバ、布片又は布物品であって、前記信号処理システムは、データ記録システムから成っている織物糸、ファイバ、布片又は布物品。
【請求項１７】
請求項１乃至１６のいずれかに記載の織物糸、ファイバ、布片又は布物品であって、前記信号処理システムは、エンターテイメントシステムから成っている織物糸、ファイバ、布片又は布物品。
【請求項１８】
請求項１乃至１７のいずれかに記載の織物糸、ファイバ、布片又は布物品であって、前記信号処理システムは、情報提供システムから成っている織物糸、ファイバ、布片又は布物品。
【発明の詳細な説明】
【技術分野】
【０００１】
本発明は、織物糸又はファイバ或いは布片の織物糸又はファイバに組み込まれた電子システム又はそれに同等の信号処理システムに関するものである。
【０００２】
１つの面では、本発明は、パーソナルコンピュータシステム、パーソナル電気通信送受信システム及びパーソナルテレビ及び／又はラジオシステムに関し、此処で、「パーソナル」とは、事業であろうが私的であろうが、個人によって使用されることを意味する。
【背景技術】
【０００３】
携帯用パーソナルコンピュータシステム及びパーソナル(移動)電話の使用が広まっているし、更に広まりつつある。ラップトップコンピュータは、家庭から事務所に持ち運ばれたり仕事上で持ち運ばれているのが一般的であり、即ち、ラップトップコンピュータは、寸法や重量が非常に減少してきているが、持ち運びにはなお大きく、紛失したり、置き忘れたり、盗まれたりし易い。移動電話は、寸法及び重量が減少しているが、これもまた、紛失したり、置き忘れたり、盗まれたりし易い。更に、近代の生活スタイルは、パーソナルコンピュータ、移動電話等に関し、一層の便宜性を必要としている。
【特許文献１】
なし
【発明の開示】
【発明が解決しようとする課題】
【０００４】
本発明者は、パーソナルコンピュータや移動電話に関して上記の問題を軽減するが、パーソナルテレビ及び／又はラジオ受信システムや他の種々のシステムにも有利に用いることができる装置を考案している。
【課題を解決するための手段】
【０００５】
本発明によれば、多数のエレメントを埋め込み又は包み込んだ織物ファイバ又は織物糸又はファイバに多数のエレメントを埋め込み又は包み込んだ布片又は布物品であって、前記多数のエレメントは、相互に接続され又は相互に通信して信号処理システムを形成している織物糸、ファイバ、布片又は布物品を提供する。
【０００６】
埋め込まれた又は包み込まれたエレメントは、典型的には、能動エレメントから成り、電子集積回路から成っているものとすることができる。今日では、きわめて小さな寸法の集積回路を製造することができ、従って、この集積回路は、この集積回路が位置する部分で糸又はファイバの直径が許容できないほど大きくなることなく、又は全く大きくなることなく、織物糸又はファイバ内に埋め込むか包み込むことができる。
【０００７】
それに代えて、埋め込まれた又は包み込まれたエレメントは、光学的、モレキュラー、サブモレキュラー又はＤＮＡ撚り信号処理システムを形成する光学的、モレキュラー、サブモレキュラー又はＤＮＡ撚りエレメントから成っていてもよい。これらのエレメントは、生化学的又は非生化学的原体又は誘導体とすることができる。
【０００８】
埋め込み又は包み込みのエレメントは、長い形状を有し、糸又はファイバの長手方向に整列しているのが好ましい。
【０００９】
織物糸又はファイバは、それに埋め込まれたシステムエレメントと一体の形態とすることができるが、それに代えて、糸又はファイバは、一体に撚り合わせられ、システムエレメントを包む多数のフィラメントから形成することができる。
【００１０】
多数のシステムエメントを糸又はファイバの長さに沿って間隔をあけて包み込むことができ、糸又はファイバに沿って延びる導電性フィラメントによって相互に電気的に接続することができる。これらのフィラメントも、糸又はファイバ内に埋め込むか包み込むことができる。糸又はファイバがシステムエレメントを包むように一体に撚られた多数のフィラメントから成っている場合には、これらのフィラメントの中には、システムエレメントを相互に電気的に接続する導電性フィラメントから成っているものがある。システムエレメントの少なくとも幾つかは、無線伝送又は光学的伝送（例えば赤外線伝送）によって相互に通信していてもよい。
【００１１】
システムのすべてのエレメントが単一の糸又はファイバ内に保持されているのに代えて、これらのシステムエレメントは、多数の糸又はファイバに分散してもよい。好ましくは、布片は、これらの糸又はファイバから少なくとも部分的に形成され、異なった糸又はファイバのエレメントは、一体に接続されるか、相互通信してシステム全体を構成している。
【００１２】
上記から解るように、このシステムエレメントは、相互に接続されるか相互に通信させて（１）パーソナルコンピュータシステム、（２）パーソナル通信送受信システム、又は（３）テレビジョン及び／又はラジオ受信システムを形成することができる。本発明によれば、１つ又は複数の糸又はファイバーがパーソナルコンピュータシステム、パーソナル通信送受信システム又はテレビジョン及び／又はラジオ受信システムを含んでいる織物布から（コート又はジャケットの如き）衣服を作ることができる。２つ又はそれ以上の布片（又は２つ又はそれ以上の衣服）を相互にリンク又は結合させてシステムを形成してもよい。
【００１３】
このようにして衣服又は布片に組み込まれたシステムは、一般に、以下のように、関連する機器に対する１つ又はそれ以上のインターフェースを含んでいる。
【００１４】
パーソナルコンピュータの場合には、システムエレメントは、典型的には、１つ又はそれ以上のマイクロプロセッサー及び１つ又はそれ以上のプログラムメモリーを含んでいる。更に、このシステムエレメントは、可視ディスプレイに対するインターフェースやキーボード又は他のデータエントリー機器に対するインターフェースを含んでいる。また、ディスクドライブ装置又はテープドライブ装置の如き他のメモリー装置に対するインターフェースを含んでいてもよい。更に、他の入力又は出力機器、例えば、スキャナー、プリンターに対する１つ又はそれ以上のインターフェースを含んでいてもよい。モデムを含んでいてもよい。外部無線送受信器に対するインターフェース及び／又は外部プロセッサーに対するインターフェースを含んでいてもよい。
【００１５】
パーソナル電子通信送受信器（特に、移動電話）の場合には、システムエレメントは、典型的には、可視ディスプレイに対するインターフェースやキーボード又は他のデータエントリー機器に対するインターフェースを含んでいる。好ましくは、このシステムエレメントは、空中線又はアンテナに接続された信号送受信器を含み、即ち、空中線又はアンテナが織物糸又はファイバー内に埋め込まれているか包み込まれており、又は撚って糸又はファイバを形成するフィラメントの１つから空中線又はアンテナを形成してもよい。種々の他の入力又は出力装置及び／又は外部空中線又はアンテナに対するインターフェースを含んでいてもよい。
【００１６】
テレビジョン受像システムの場合には、システムエレメントは、典型的には、可視ディスプレイに対するインターフェースと１つ又はそれ以上のスピーカに対するインターフェースを含む。更に、空中線又はアンテナを設けるが、これは、好ましくは、織物糸又はファイバー(単数又は複数)内に埋め込むか包み込む。
【００１７】
本発明によれば、パーソナルコンピュータシステム、移動電話システム或いはテレビジョン及び／又はラジオ受信システム（又はこれらのシステムの組み合わせ）を用いた衣服を作ることができるが解る。衣服の着用者は、パーソナルコンピュータシステム等を自動的に保持してこれを紛失したり盗まれたりする虞が少なくなり、また便宜性が増大する。このシステムがインターフェースを介して接続されなければならない種々の機器、特に、ビデオディスプレイ、キーボード等自体を衣服に組み込むか固定してもよい。例えば、ビデオディスプレイは、衣服がコート又はジャケットである場合、衣服の一方の袖に組み込まれる。さもなければ又はそれと共に、このシステムは、家庭又は事務所或いは機器搭載車両、列車、航空機等に保持されている外部機器にインターフェースを介して接続してもよい。
【００１８】
システムエレメントは、個人的使用であろうがそれ以外に使用であろうが、広範囲の信号処理システムを形成するように整えられている。例えば、信号処理シスステムは、制御システム、監視システム、警報保安システム、データ記録システム又は情報提供システムから成っているものとすることができる。これらのシステムは、車又は他の車両又は航空機或いはボート等の室内装飾材料又はライニングに組み込んだり、家庭、事務所それ以外の場所の室内装飾材料又はカーテン等に組み込んだりすることができる。また、これらのシステムは、種々の用途に用いることができる布テープに組み込むことができる。
【００１９】
上記した各システムにおいて、再充電可能なバッテリ又は他の電流源を織物糸又はファイバー（単数又は複数）内に含ませるか、埋め込むか、包み込むことができ、システムエレメントは、このバッテリ又は他の電流源用の再充電回路を含んでいるのが好ましい。この再充電回路は、例えば、太陽エネルギー、システムを組み込んだ衣服の着用者の体熱又はその人の動きに応答して電流源を連続的に再充電する働きを有する。それに代えて、このシステムは、例えば、衣服着用者が衣服のポケットに入れて保持される外部電流源から駆動されてもよい。これらの場合のすべてにおいて、電流源は、電荷貯蔵装置、例えば、電気コンデンサーから成っていてもよい。
【発明を実施するための最良の形態】
【００２０】
図面の図１を参照すると、衣服を形成する布片の一部が示されている。この布片は、多数の織物糸又はファイバーから成っている。図示の例では、布は、縦横の糸又はファイバー１０、２０を織ることによって形成されているが、それに代えて、編んだり他の方法で形成してもよい。糸又はファイバーは、天然又は合成のファイバー又はその混合物であってもよい。
【００２１】
図１に示すように、糸又はファイバーの一部１０ａ、２０ａには集積回路１２、２２が埋め込まれ又は包み込まれている。これらの集積回路は各集積回路の位置で糸１０ａ、２０ａの直径が増大することがないように（又は少なくとも大きく又は許容できない程度に増大しないように）、ミニチュア又はそれより小さい寸法を有する。
【００２２】
糸又はファイバ１０、２０は、集積回路１２、２２が埋め込まれた一体の形態（例えば、単フィラメント）とすることができる。それに代えて、糸又はファイバーを多数のフィラメントの撚り合わせ物から形成してもよく、この場合、個々の糸又はファイバー１０ａ、２０ａが集積回路１２、２２を包んでいる。
【００２３】
集積回路１２、２２は、それぞれの糸又はファイバーの長手方向に整列した細長い形状を有し、この長手方向に間隔をあけていて、糸又はファイバーの可撓性全体を維持している。各糸又はファイバーの集積回路は、これらの回路間を延びる可撓性フィラメント１３、２３によって相互に電気的に接続されている。（図示していないが）これらの相互の接続は、異なった糸又はファイバーの集積回路間でも行われる。集積回路の少なくとも一部は、無線伝送又は光伝送によって通信するように整えてもよい。
【００２４】
総体的に述べると、一例で、集積回路１２、２２は、パーソナルコンピュータシステムを形成しており、その概略ブロック図が図２に示されている。この例では、集積回路は、１つ又はそれ以上のマイクロプロセッサーＭと１つ又はそれ以上の半導体プログラムメモリー装置Ｓとを含んでいる。この集積回路は、また、可視ディスプレイ、キーボード又は他の入力装置、プリンター又は他の出力装置及びディスクドライブを含むコンピュータ周辺機器に接続するためのインターフェースＩ、Ｏを含んでいる。このシステムは、１つ又はそれ以上の変換器又はインスツールメント（例えば、加速器、温度センサー、マイクロフォン、カメラ、スピーカ）を含んでいる。布片は衣服に形成されてこの衣服が糸又はファイバーに埋め込まれた集積回路によって形成されるコンピュータシステムを組み込んでいるようにするのが好ましい。２つ又はそれ以上の布片又は衣服が一体に接続されるか一体に通信していてコンピュータシステムを形成し、特に、例えば、並行処理システムを形成し、又は神経ネットワーク(neural network)、ローカルエリアネットワーク又はエクステンデッドエリアネットワーク(Extended Area Network) さえも形成することができる。
【００２５】
他の例では、図１に示される集積回路１２、２２は、パーソナル電気通信送受信システムを形成し、その概略ブロック図が図３に示されている。この例では、集積回路は、１つ又はそれ以上のマイクロプロセッサーＭと、１つ又はそれ以上の半導体プログラムメモリー装置Ｓと、キーボード又は他の入力装置に対するインターフェースＩと、可視ディスプレイに対するインターフェースＯとを含んでいる。このシステムは、空中線又はアンテナＡＮが接続された送受信サブシステムＴＲを更に備えている。
【００２６】
更に他の例では、図１に示される集積回路は、パーソンルテレビジョン及び／又は受信システムを形成し、その概略ブロック図が図４に示されている。この例では、集積回路は、１つ又はそれ以上のマイクロプロセッサーＭと、１つ又はそれ以上の半導体プログラムメモリー装置Ｓと、制御器に対するインターフェースＩと、可視ディスプレイ及びスピーカに対するインターフェースＯとを含んでいる。このシステムは、アンテナＡＮが接続された受信サブシステムＴＲを更に備えている。
【００２７】
図２乃至図４に示された各システムにおいて、再充電サブシステムＲＥと共に、バッテ又は他の再充電可能な動力源が設けられる。
【００２８】
図示の実施例は、集積回路から形成された電子システムから成っているが、光学的、モレキュラー、サブモレキュラー又はＤＮＡ撚りから形成された光学的、モレキュラー、サブモレキュラー又はＤＮＡ撚りシステムから成っていてもよく、この場合、これらのエレメントは、生化学的又は非生化学的原体又はその誘導体であってもよい。
【図面の簡単な説明】
【００２９】
【図１】集積回路がファイバー内に埋め込まれた布片の一部の拡大概略図である。
【図２】図１に示される布片の集積回路によって形成されるパーソナルコンピュータの概略ブロック図である。
【図３】図１に示された布片の集積回路によって形成されるパーソナル電気通信送受信システムの概略ブロック図である。
【図４】図１に示された布片の集積回路によって形成されるテレビジョン及び／又はラジオ受信システムの概略ブロック図である。
【図１】
2004526068.tif 000003
【図２】
2004526068.tif 000004
【図３】
2004526068.tif 000005
【図４】
2004526068.tif 000006
【国際公開パンフレット】
2004526068.tif 000007
2004526068.tif 000008
2004526068.tif 000009
2004526068.tif 000010
2004526068.tif 000011
2004526068.tif 000012
2004526068.tif 000013
2004526068.tif 000014
2004526068.tif 000015
2004526068.tif 000016
2004526068.tif 000017
2004526068.tif 000018
2004526068.tif 000019
【国際調査報告】
2004526068.tif 000020
2004526068.tif 000021